(57)【要約】【課題】タブ内に投入された木材を、タブの回転を妨げることなく、円滑に破砕機の方向へ供給することが可能な木材破砕装置およびそのデフレクタを提供する。【解決手段】木材破砕装置１０は、破砕機１に対して略円筒形状のタブ２を相対回転させながら、タブ２内に投入された木材を破砕機１の方へ送り込んで木材を破砕する木材破砕装置であって、タブ２の底板７に形成された破砕機１が露出する開口７ａのタブ２の回転方向における下流側に、タブ２の回転方向に沿った断面形状が略三角形のデフレクタ１５を設けている。そして、デフレクタ１５は、略三角形状の断面の頂部１５ｂにおいて、床板７の面よりも上方において木材を支持する。【選択図】図４
2007283160.tif 000002
【特許請求の範囲】
【請求項１】
木材を破砕する破砕部と、
前記破砕部の上方において回転軸を中心として前記破砕部に対して相対回転しながら、前記破砕部の方向に前記木材を送り込む略円筒形状のタブと、
前記タブの底面を形成しており、前記破砕部を露出させる開口を有する底板と、
前記底板において前記タブの正回転方向における前記開口の下流側に配置されており、前記タブの回転方向に沿った断面が略三角形状であって、その頂部において前記タブ内に投入された前記木材を前記底板の面よりも上方において支持するデフレクタと、
を備えている木材破砕装置。
【請求項２】
前記デフレクタは、平面視において前記タブの回転中心から見て外周側の端部が、前記タブの内周面と略平行になるように形成されている、
請求項１に記載の木材破砕装置。
【請求項３】
前記デフレクタの略三角形状の断面を構成する傾斜面の傾斜角度は、１５度以上４０度以下の範囲内の角度である、
請求項１または２に記載の木材破砕装置。
【請求項４】
前記タブの略円筒形状の上部の開口部分を覆う蓋部をさらに備えている、
請求項１から３のいずれか１項に記載の木材破砕装置。
【請求項５】
前記タブの略円筒形状の内周面には、前記タブ内に投入された前記木材をかき回すための複数の突起部が形成されている、
請求項１から４のいずれか１項に記載の木材破砕装置。
【請求項６】
木材を破砕する破砕部と、前記破砕部の上方において回転軸を中心として前記破砕部に対して相対回転しながら、前記破砕部の方向に前記木材を送り込む略円筒状のタブと、前記タブの底面を形成しており、前記破砕部を露出させる開口を有する底板と、を備えた木材破砕装置に装着されるデフレクタであって、
前記底板において前記タブの正回転方向における前記開口の下流側に配置されており、前記タブの回転方向に沿った断面が略三角形状であって、
前記タブ内に投入された前記木材を前記底板の面よりも上方において支持する支持部を、
備えた木材破砕装置のデフレクタ。
【発明の詳細な説明】
【技術分野】
【０００１】
本発明は、木材が投入されるタブを、チェーンやベルト等を介して回転させながら木材を破砕部へと供給して破砕する木材破砕装置およびそのデフレクタに関する。
【背景技術】
【０００２】
従来より、木材を破砕するための木材破砕装置として、自走式の木材破砕装置（木材破砕機械）が用いられている。
この自走式の木材破砕装置は、主要な構成として、ハンマミル等の回転式破砕機（破砕体）と、回転軸を中心として回転して破砕機に木材を供給するタブ（回転式タブ）とを備えている。そして、タブの上部にはホッパが付設されており、このホッパに木材を投入することによってタブ内に木材が供給される。破砕機において破砕された木材は、破砕機の下方へと供給され、搬送コンベアによって外部へ排出される。
【０００３】
また、上記タブは、タブ回転装置を介して回転駆動される。そして、タブ回転装置は、タブの外周面に沿って付設されたゴム体によって形成される摩擦部材と、この摩擦部材に巻き掛けられるチェーン（ベルト）と、このチェーンを回転駆動する油圧モータとを含んでいる。また、バネ部材によって引っ張り力を付与されたアイドラが、チェーンの外面に当接してチェーンに張力を与えている。
【０００４】
さらに、このタブの底面には、タブの正回転方向における上記開口部の下流側にデフレクタが設けられている。このデフレクタは、タブの正回転時には、破砕機が露出したタブ底面の開口部に対する木材の移動を促進させるとともに、逆回転時にはタブ内において閉塞状態となった木材を分散させる機能を有している（特許文献１参照）。
例えば、特許文献１に開示されたタブグラインダ１００に装着されたデフレクタ１０５は、タブ１０２の底面１０３に形成された開口部１０３ａの側方に配置されており、破砕機１０１の一部を覆うように先端側が延伸している（図９参照）。これにより、タブ１０２が正転する際には、破砕機１０１に対して木材を効率よく移動させつつ、破砕機１０１の上部まで延伸したデフレクタ１０５の先端側において、破砕機１０１の回転によって破砕物が上方等に飛び出してしまうことを防止することができる。
【特許文献１】米国特許第５８０３３８０号明細書（１９９８年９月８日登録）
【発明の開示】
【発明が解決しようとする課題】
【０００５】
しかしながら、上記従来のタブグラインダのデフレクタでは、以下に示すような問題点を有している。
すなわち、上記公報に開示されたタブグラインダ１００のデフレクタ１０５では、図９に示すように、破砕機１０１の一部を覆うように延伸した先端部分が形成されるため、タブ１０２が正回転する際に木材がデフレクタ１０５の先端に引っ掛かってタブ１０２の回転を妨げる負荷となるおそれがある。このようなタブ１０２の回転に対する負荷が大きくなった場合には、その都度タブ１０２を逆回転させる必要が生じ、効率よく木材の破砕を行うことができなくなるおそれがある。
【０００６】
本発明の課題は、タブ内に投入された木材を、タブの回転を妨げることなく、円滑に破砕機の方向へ供給することが可能な木材破砕装置およびそのデフレクタを提供することにある。
【課題を解決するための手段】
【０００７】
第１の発明に係る木材破砕装置は、木材を破砕する破砕部と、略円筒形状のタブと、底板と、デフレクタと、を備えている。略円筒形状のタブは、破砕部の上方において回転軸を中心として破砕部に対して相対回転しながら、破砕部の方向に木材を送り込む。底板は、タブの底面を形成しており、破砕部を露出させる開口を有する。デフレクタは、底板においてタブの正回転方向における開口の下流側に配置されており、タブの回転方向に沿った断面が略三角形状であって、その頂部においてタブ内に投入された木材を底板の面よりも上方において支持する。
【０００８】
ここでは、木材が投入されるタブを破砕機に対して相対回転させながら、タブ内部に設けられた破砕機によって木材を破砕する木材破砕装置において、破砕機を露出させる開口を有する底板におけるタブの回転方向において上記開口の下流側に、タブの回転方向に沿った断面形状が略三角形のデフレクタを設けている。そして、このデフレクタは、略三角形状の頂部において木材を支持する。
【０００９】
これにより、タブの回転方向に沿った断面が略三角形状のデフレクタを設けたことで、タブの回転によりタブ内を移動する木材がデフレクタに引っかかってタブの回転に負荷をかけることを防止することができる。さらに、デフレクタによって木材を底板の面よりも上方において支持することで、木材の重量が破砕機にかかることによる破砕機の負荷も効果的に低減することができる。
この結果、タブ内に投入された木材の移動を必要以上に制限することなく円滑に移動させながら、タブおよび破砕機にかかる負荷を低減して、木材を破砕することができる。
【００１０】
第２の発明に係る木材破砕装置は、第１の発明に係る木材破砕装置であって、デフレクタは、平面視においてタブの回転中心から見て外周側の端部が、タブの内周面と略平行になるように形成されている。
【００１１】
ここでは、タブの回転方向に沿った断面形状が略三角形のデフレクタにおけるタブの回転中心から見て外周側の端部、つまりタブの内周面に対向する部分が、タブの内周面に対して平行になるように形成されている。
これにより、タブを回転させながらタブ内において破砕する木材をかき回している際に、タブの内周面とデフレクタとの間に移動してきた木材を円滑に移動させて、その間木材が引っ掛かってしまうことを回避することができる。この結果、タブの回転の負荷を低減して、効率よく木材を破砕することが可能になる。
【００１２】
第３の発明に係る木材破砕装置は、第１または第２の発明に係る木材破砕装置であって、デフレクタの略三角形状の断面を構成する傾斜面の傾斜角度は、１５度以上４０度以下の範囲内の角度である。
ここでは、周方向に沿った断面形状が略三角形のデフレクタを構成する傾斜面の角度として、好ましい上記角度範囲を特定している。
【００１３】
例えば、デフレクタの傾斜角度が急すぎた場合、タブの回転によって移動する木材がデフレクタによって動きを阻害され過ぎてしまうことになり、タブ内に投入された木材を円滑に破砕機の方へ送り込むことが困難になるという問題がある。一方、傾斜角度が緩すぎる場合には、破砕機上に載りかかる木材の重量を軽くするというデフレクタとしての１つの機能を十分に果たすことができなくなり、破砕機に掛かる負荷を増大させるという問題がある。
【００１４】
これにより、上記角度範囲となるようにデフレクタを形成することで、タブ内に投入された木材の動きを必要以上に制限することなく、かつ破砕機にかかる負荷を低減して、デフレクタとしての機能を十分に発揮させることができる。
【００１５】
第４の発明に係る木材破砕装置は、第１から第３の発明のいずれか１つに係る木材破砕装置であって、タブの略円筒形状の上部の開口部分を覆う蓋部をさらに備えている。
ここでは、木材が投入されて回転するタブに対して、その上部の開口部分を覆う蓋を設けている。
通常、タブ内に投入された木材を破砕する破砕機は、ハンマミル等のように回転しながら木材を粉砕していく。このとき、略水平方向に沿って配置された回転軸を中心として破砕機が回転する場合には、破砕機によって破砕された木片が、回転に伴って上方へと飛び出すおそれがある。
【００１６】
従来の木材破砕装置では、このような破砕機の回転に伴う木片の上方への飛び出しを防止するために、デフレクタの先端部分が破砕機の上部にかかるようにデフレクタの形状や配置を決めて配置していた。しかし、このようなデフレクタでは、タブの回転によってタブ内において移動する木材がデフレクタの先端に引っ掛かってタブの回転の負荷となるおそれがある。
【００１７】
本発明の木材破砕装置では、破砕機の回転に伴う木片の上方への飛び出しを防止するために、タブの上方の開口部分を覆う蓋部を設けている。
これにより、上述したような断面が略三角形状のデフレクタを設けた場合でも、タブの外部への木片の飛散を防止することができる。
【００１８】
第５の発明に係る木材破砕装置は、第１から第４の発明のいずれか１つに係る木材破砕装置であって、タブの略円筒形状の内周面には、タブ内に投入された木材をかき回すための複数の突起部が形成されている。
ここでは、被破砕物としての木材が投入されるタブの内周面に、タブの回転によって木材を効果的にかき回すための突起部を形成している。
通常、タブの内周面にこのような突起物を設けた場合には、タブの回転によって木材を効果的にかき回すというメリットは得られるものの、逆にデフレクタ等のようなタブ内の他の突起物との間に木材が挟まれてタブの回転の負荷になるおそれがある。
【００１９】
本発明の木材破砕装置では、上述したように、タブの回転方向に沿った断面形状が略三角形状のデフレクタを設けている。
これにより、タブの回転の負荷を生じさせるおそれがある突起物をタブの内周面に形成した場合でも、タブを負荷なく円滑に回転させながら、破砕機の方へ木材を送り込むことができる。
【００２０】
第６の発明に係る木材破砕装置のデフレクタは、木材を破砕する破砕部と、破砕部の上方において回転軸を中心として破砕部に対して相対回転しながら、破砕部の方向に木材を送り込む略円筒形状のタブと、タブの底面を形成しており、破砕部を露出させる開口を有する底板と、を備えた木材破砕装置に装着されるデフレクタであって、支持部を備えている。そして、デフレクタは、底板においてタブの正回転方向における開口の下流側に配置されており、タブの回転方向に沿った断面が略三角形状であって、タブ内に投入された木材を底板の面よりも上方において支持する支持部を備えている。
【００２１】
これにより、タブの回転方向に沿った断面が略三角形状のデフレクタを設けたことで、タブの回転によりタブ内を移動する木材がデフレクタに引っかかってタブの回転に負荷をかけることを防止することができる。さらに、デフレクタによって木材を底板の面よりも上方において支持することで、木材の重量が破砕機にかかることによる破砕機の負荷も効果的に低減することができる。
【００２２】
この結果、タブ内に投入された木材の移動を必要以上に制限することなく円滑に移動させながら、タブおよび破砕機にかかる負荷を低減して、木材を破砕することができる。
【発明の効果】
【００２３】
本発明に係る木材破砕装置によれば、タブ内に投入された木材の移動を必要以上に制限することなく円滑に移動させながら、タブおよび破砕機にかかる負荷を低減して、木材を破砕することができる。
【発明を実施するための最良の形態】
【００２４】
本発明の一実施形態に係る木材破砕装置について、図１〜図８を用いて説明すれば以下の通りである。
なお、以下の説明において用いた「前」、「後」については、搬送コンベア６が突出している方を「前」、その反対側を「後」と示すものとする。
［木材破砕装置１０全体の構成］
本実施形態に係る木材破砕装置１０は、図１から図３に示すように、自走式の木材破砕装置であって、破砕機１と、略円筒形状のタブ２と、機台３と、走行体４と、ホッパ５と、搬送コンベア６と、を備えている。
【００２５】
破砕機１は、タブ２から供給される木材のブロックを細かく破砕するために、油圧によって駆動されるハンマミル等の破砕装置であって、走行体４が付設された機台３上に配置されている。
タブ２は、機台３の後方側に配置されており、後述する駆動部３０（図４参照）によって軸心廻りにおいて回転（正転および反転）し、タブ２の下方に配置された破砕機１に対して木材を供給する。また、タブ２の上方にはホッパ５が取り付けられており、このホッパ５に木材を投入することによって、タブ２内に木材が供給される。
【００２６】
機台３は、走行体４に対して取り付けられており、その上面に破砕機１やタブ２、ホッパ５等が載置される。
走行体４は、進行方向左右両端部分に巻き掛けられた履帯を回転させることで、木材破砕装置１０を前進、後進させる。
ホッパ５は、水平面に対して傾斜する投入口８が形成されているとともに、投入口８の一部を覆う飛散防止カバー（蓋部）９が設けられている。なお、このホッパ５に形成された投入口８および飛散防止カバー９は、タブ２が回転してもタブ２と共に回転しないように機台３に対して支柱２ａを介して取り付けられている。
【００２７】
搬送コンベア６は、破砕機１の下部側に配置される略水平状の部材を有しており、所定の大きさの排出孔を通過した所定粒度の破砕物を受け止め、外部へ排出する。なお、搬送コンベア６として、１本のベルトおよび単一の駆動モータによって構成してもよいし、複数本のベルトをそれぞれの駆動モータによって駆動する構成を使用したものであってもよい。
【００２８】
木材破砕装置１０では、以上のような構成により、木材を破砕機１によって破砕し、その破砕物（木片）をこの破砕機１の下方に供給して、搬送コンベア６によって外部へと排出する。
［タブ２およびその周辺の構成］
（タブ２の構成）
タブ２は、図４に示すように、外周面に略水平方向に沿ってチェーン１１が巻き掛けられており、駆動部３０からの回転駆動力がチェーン１１を介して伝達されて回転駆動される略円筒型の部材である。そして、タブ２は、駆動モータＭの回転方向により、正転（図４に示す矢印参照）と逆転とを繰り返しながら、タブ２の下方に配置された破砕機１に対して木材を供給する。また、タブ２の外周面には、図４および図５に示すように、その下端部に上下に相対向する一対のガイド用外鍔部２０ａ，２０ｂと、上方のガイド用外鍔部２０ａよりも上方にチェーン１１が巻き掛けられるスプロケット１２が配置されている。さらに、タブ２の外周面に隣接する位置には、図４に示すように、タブ２の回転をガイドする横ローラ２１と、タブ２を支持する縦ローラ２２とが配置されている。
【００２９】
ガイド用外鍔部２０ａ，２０ｂは、図４および図５に示すように、それぞれ平板状の本体と本体を支持する支持片によって構成されており、上記縦ローラ２２は、ガイド用外鍔部２０ａ，２０ｂの本体部分に当接する。また、各ローラ２１，２２は、タブ２の外周面に沿って４個ずつ配設されている。
横ローラ２１は、図４に示すように、機台３に取り付けたフレーム３５上に立設された支柱２３に、軸受２４，２４を介してローラ部２１ａの部分が回転可能な状態で支持されている。そして、タブ２の外周面に設けられる上下のガイド用外鍔部２０ａ，２０ｂ間において転動する。
【００３０】
縦ローラ２２は、図４に示すように、機台３に取り付けたフレーム３５上に立設された支柱２３に設けられる支持軸に、軸受２４，２４を介してローラ部が回転可能な状態で支持されており、ローラ部が上方のガイド用外鍔部２０ａに当接してタブ２を支持している。
また、タブ２の内周面には、図４に示すように、周方向において略等間隔で突起部２ａが形成されている。この突起部２ａは、タブ２の内周面からタブ２の回転中心に向かって延伸する部材であって、タブ２の回転に伴ってタブ２内に投入された木材を効果的にかき回すために設けられている。
【００３１】
（底板７）
底板７は、破砕機１に対して相対回転する略円筒形のタブ２の底面を形成する板材であって、タブ２内において破砕機１を露出させる開口７ａを有している。そして、底板７は、略円筒形のタブ２とは別体として形成されており、タブ２が回転してもタブ２と一緒に回転しないように機台３に固定配置されている。
【００３２】
また、底板７には、図４に示すように、タブ２の回転方向における開口７ａの直上流側に、２つの整流板７ｂ，７ｃが固定配置されている。
さらに、底板７には、図４に示すように、タブ２の回転方向における開口７ａの直下流側に、後述するデフレクタ１５が固定配置されている。
（整流板７ｂ，７ｃの構成）
整流板７ｂ，７ｃは、図８（ａ）および図８（ｂ）に示すように、略円筒形のタブ２の内側であってタブ２の底面を形成する底板７上においてタブ２の回転方向における上流側に載置された底板７の面からの高さが約８０ｍｍの突出部である。そして、整流板７ｂ，７ｃは、タブ２の回転に伴ってタブ２内においてかき回される木材を、底板７に形成された開口７ａから露出する破砕機１の方へ誘導する。
【００３３】
具体的には、図４に示すように、タブ２の外周側に配置された整流板７ｂは、破砕機１の外周側の部分に木材を誘導し、タブ２の内周側に配置された整流板７ｃは、破砕機１の内周側の部分に木材を誘導する。
（デフレクタ１５の構成）
デフレクタ１５は、図４に示すように、略円筒形のタブ２の内側であってタブ２の底面を形成する底板７上においてタブ２の回転方向における下流側に載置されている。また、デフレクタ１５は、図６および図７（ｂ）に示すように、タブ２の回転中心を中心とする円の周方向における断面形状が、略三角形の部材である。
【００３４】
また、デフレクタ１５は、図４および図６および図７（ａ）に示すように、外端部１５ａと、上記略三角形状の頂部１５ｂと、２つの傾斜面１５ｃ，１５ｄと、を含むように構成されている。
外端部１５ａは、デフレクタ１５に含まれるタブ２の回転中心を中心とする円弧状の部分であって、平面視においてタブ２の内周面に対して平行になるように形成、配置されている。これにより、タブ２の回転に伴ってタブ２内を移動する木材は、回転するタブ２の内周面とデフレクタ１５との間に挟まったりすることなく、タブ２内を円滑に移動させることができる。
【００３５】
略三角形の断面における頂部１５ｂは、底板７の面よりも上方に位置しており、底板７の開口７ａから突出するように露出する破砕機１上に載りかかる木材の一部を支持する。
傾斜面１５ｃ，１５ｄは、図７（ｂ）に示すように、底板７の面に対してほぼ同じ角度で傾斜しており、その傾斜角度は約３０度である。これにより、タブ２の正転時には、傾斜面１５ｃにおいて木材が引っ掛かることなく、適度に木材の移動を規制することができる。そして、タブ２の逆転時にも、傾斜面１５ｄにおいて木材が引っ掛かることなく適度に木材の移動を規制しながら、必要以上にタブ２内における木材の移動を抑制することを防止することができる。この結果、タブ２の内周面に複数形成された突起部２ａによってかき回される木材が、突起部２ａとデフレクタ１５との間に引っ掛かってタブ２の回転の負荷となることを防止することができる。
【００３６】
また、デフレクタ１５は、従来のデフレクタのように、破砕機１の上部に延伸する部分を有していないため、破砕機１の回転に伴って鉛直上向きに飛び出す木片（破砕物）を受け止めることはできない。
ここで、本実施形態の木材破砕装置１０では、破砕機１の上方に相当するホッパ５の上部に、飛散防止カバー（蓋部）９を設けている。このため、デフレクタ１５によって破砕機１から鉛直上向きに飛び出す木片を受け止めなくても、装置外への木片の飛散を防止することができる。
【００３７】
（チェーン１１の構成）
チェーン１１は、ピンリンクとローラリンクとを交互に組み合わせてピンを介して繋いで構成された無端状のローラチェーンである。また、チェーン１１は、図４および図５に示すように、タブ２の外周面に周方向に沿って所定ピッチごとに設けられたスプロケット１２と駆動部３０のスプロケット３１とに巻き掛けられており、図５に示す駆動モータＭがスプロケット３１を回転駆動することによってタブ２を回転させる。さらに、チェーン１１は、上記タブ２の外周面および駆動部３０のスプロケット３１に巻き掛けられた状態で常に所定の範囲内の張力を保持するために、テンション付与機構４０によって張力が付与されている。
【００３８】
本実施形態の木材破砕装置１０では、以上のように、タブ２の外周面に沿って配設されるチェーン１１がタブ２の外周面に形成されたスプロケット１２に噛合しながらタブ２を回転させる。このため、タブ２に対してチェーン１１を介して駆動モータＭからの回転力を確実に伝達することができる。
（駆動部３０の構成）
チェーン１１を介してタブ２を回転駆動させる駆動部３０は、図５に示すように、駆動モータ（油圧モータ）Ｍと、チェーン１１が巻き掛けられるスプロケット３１と、を有している。そして、この駆動部３０の近傍には、チェーン１１に対して張力を付与するテンション付与機構４０が配置されている。
【００３９】
駆動モータＭは、タブ２を正転あるいは逆転させるための回転駆動源であって、木材投入時の木材通過位置の下方以外の位置に配置されている。これにより、木材を投入する際における駆動用モータＭへの木材等の落下を防止することができる。この結果、木材等が落下することにより駆動用モータＭ等の駆動の妨げとなることを回避することができ、タブ２を安定して回転させることができるとともに、駆動用モータＭを保護して駆動部３０の耐用寿命を延ばすことができる。
【００４０】
スプロケット３１は、駆動モータＭの回転軸の先端部分に固定されており、駆動モータＭが回転すると巻き掛けられたチェーン１１を所定方向に搬送する。
（テンション付与機構４０の構成）
テンション付与機構４０は、タブ２の外周に巻き掛けられたチェーン１１に対して所定範囲の大きさの張力を付与する機構であって、チェーン１１を駆動する駆動部３０に近接するように配置されている。
【００４１】
［本木材破砕装置１０の特徴］
（１）
本実施形態の木材破砕装置１０は、破砕機１に対して略円筒形状のタブ２を相対回転させながら、タブ２内に投入された木材を破砕機１の方へ送り込んで木材を破砕する木材破砕装置であって、図４に示すように、タブ２の底板７に形成された破砕機１が露出する開口７ａのタブ２の回転方向における下流側に、タブ２の回転方向に沿った断面形状が略三角形のデフレクタ１５を設けている。そして、デフレクタ１５は、略三角形状の断面の頂部１５ｂにおいて、床板７の面よりも上方において木材を支持する。
【００４２】
これにより、デフレクタ１５における傾斜面１５ｃ，１５ｄにおいて、タブ２内を移動する木材と接触することになるため、デフレクタ１５において木材が引っ掛かってタブ２の回転に対する負荷となることはない。また、デフレクタ１５の頂部１５ｂにおいて、木材を支持することで、破砕機１上に載りかかる木材の重量の一部をデフレクタ１５において受け止めることができる。この結果、タブ２を円滑に回転させながら、破砕機１における回転負荷も低減することができる。
【００４３】
（２）
本実施形態の木材破砕装置１０では、図４に示すように、タブ２の回転中心を中心とする円の半径方向におけるデフレクタ１５の外端部１５ａが、平面視においてタブ２の内周面と略平行になるように配置されている。
これにより、タブ２を回転させた際に、タブ２とデフレクタ１５との間の隙間に木材が挟まってタブ２の回転の負荷になることを防止することができる。この結果、タブ２を円滑に回転させながら木材を破砕機１の方向へ送り込むことができる。
【００４４】
（３）
本実施形態の木材破砕装置１０では、図７（ａ）および図７（ｂ）に示すように、デフレクタ１５の断面を構成する２つの傾斜面１５ｃ，１５ｄは、床板７の面に対する傾斜角度が約３０度になるように形成されている。
これにより、デフレクタ１５に接触する木材が、必要以上にデフレクタ１５に引っ掛かってタブ２の回転を阻害することはない。この結果、タブ２を円滑に回転させながら、木材を破砕することができる。
【００４５】
（４）
本実施形態の木材破砕装置１０では、図１に示すように、タブ２の上方に取り付けられたホッパ５の上部に飛散防止カバー９を設けている。
これにより、破砕機１の近傍に配置されたデフレクタ１５によって、破砕機１からの木片の飛び出しを防止していなくても、飛散防止カバー９によって装置外への木片の飛散を防止することができる。
【００４６】
（５）
本実施形態の木材破砕装置１０では、図４に示すように、タブ２の内周面に、複数の突起部２ａが設けられている。
これにより、タブ２内へ投入された木材を効果的にかき回すための突起部２ａをタブ２の内周面に設けた場合でも、デフレクタ１５に接触した木材がデフレクタ１５に引っ掛かることはないため、タブ２の突起部２ａとデフレクタ１５との間に木材が引っ掛かってタブ２の回転の負荷となることを防止できる。
【００４７】
（６）
本実施形態の木材破砕装置１０のデフレクタ１５は、図４に示すように、タブ２の底板７に形成された破砕機１が露出する開口７ａのタブ２の回転方向における下流側に設けられている。そして、デフレクタ１５は、略三角形状の断面の頂部１５ｂにおいて、床板７の面よりも上方において木材を支持する。
【００４８】
これにより、デフレクタ１５における傾斜面１５ｃ，１５ｄにおいて、タブ２内を移動する木材と接触することになるため、デフレクタ１５において木材が引っ掛かってタブ２の回転に対する負荷となることはない。また、デフレクタ１５の頂部１５ｂにおいて、木材を支持することで、破砕機１上に載りかかる木材の重量の一部をデフレクタ１５において受け止めることができる。この結果、タブ２を円滑に回転させながら、破砕機１における回転負荷も低減することができる。
【００４９】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、デフレクタ１５として、平面視においてタブ２の内周面に対して平行な外端部１５ａを有する例を挙げて説明した。しかし、本発明はこれに限定されるものではない。
【００５０】
例えば、平面視におけるデフレクタ１５の形状としては、タブ２の内周面に対して平行でない部分を有する形状であってもよい。
ただし、この平行でない部分において、タブ２の回転に伴って移動する木材が引っ掛かる等の問題が発生するおそれを考慮すると、上記実施形態のように、外端部１５ａがタブ２の内周面に対して平行になるようにデフレクタ１５が設置されていることがより好ましい。
【００５１】
（Ｂ）
上記実施形態では、断面が略三角形のデフレクタ１５の傾斜面１５ｃ，１５ｄの傾斜角度が３０度である例を挙げて説明した。しかし、本発明はこれに限定されるものではない。
例えば、１５度以上４０度未満の傾斜角度の傾斜面によって形成されるデフレクタであれば、タブ２の回転に伴って移動する木材の移動を必要以上に規制して、デフレクタ１５において木材が引っ掛かることなく、円滑に木材を破砕機１の方へ誘導しながら、破砕機１にかかる負荷を低減するという、上記と同様の効果を得ることができる。
【００５２】
（Ｃ）
上記実施形態では、タブ２内において、破砕機１を露出させる開口７ａに対して、タブ２の正回転方向における上流側に、２つのレール状の整流板７ｂ，７ｃを設けた例を挙げて説明した。しかし、本発明はこれに限定されるものではない。
このレール状の整流板は、必ずしも２本設けられている必要はなく、例えば、１本であってもよいし、設けられていなくてもよい。あるいは、３本以上の整流板によって破砕機１の方へ木材を誘導するようにしてもよい。
【００５３】
（Ｄ）
上記実施形態では、整流板７ｂ，７ｃとして、床面からの高さが約８０ｍｍの突出部を用いた例を挙げて説明した。しかし、本発明はこれに限定されるものではない。
例えば、高さが８０ｍｍより大きい突出部や、８０ｍｍ未満の突出部を用いてもよい。さらに、整流板の形状としては、断面が略長方形でなくてもよく、例えば、断面が楕円形であったり、四角形や三角形であったりしてもよい。
【００５４】
ただし、タブ内に投入された木材の流れを適度に整えながら、円滑に破砕機まで送り込むという観点では、上記実施形態のように、断面が略長方形であって、床面からの高さが約８０ｍｍの整流板を用いることがより好ましい。
（Ｅ）
上記実施形態では、破砕機１としてハンマミルを用いた例を挙げて説明した。しかし、本発明はこれに限定されるものではない。
【００５５】
例えば、ハンマミル以外の他の破砕装置を用いて木材を破砕する木材破砕装置であってもよい。
【産業上の利用可能性】
【００５６】
本発明の木材破砕装置は、タブ内に投入された木材の移動を必要以上に制限することなく円滑に移動させながら、タブおよび破砕機にかかる負荷を低減して、木材を破砕することができるという効果を奏することから、回転体の中に被破砕物等を投入して破砕物を形成する各種装置に対して広く適用可能である。
【図面の簡単な説明】
【００５７】
【図１】本発明の一実施形態に係る木材破砕装置の外観を示す正面図。
【図２】図１の木材破砕装置の側面図。
【図３】図１の木材破砕装置の平面図。
【図４】図１の木材破砕装置に含まれるタブ内部およびその周辺の構成を示す平面図。
【図５】図４のタブ周辺の構成を示す側面図。
【図６】図４のタブ内において露出した破砕機周辺の構成を示す斜視図。
【図７】（ａ），（ｂ）は、図４のタブ内に設置されたデフレクタの形状を示す平面図および側断面図。
【図８】（ａ），（ｂ）は、図４のタブ内に設置された整流板の形状を示す平面図および側断面図。
【図９】従来の木材破砕装置に搭載された破砕機付近の構成を示す斜視図。
【符号の説明】
【００５８】
１      破砕機（破砕部）
２      タブ
２ａ    突起部
３      機台
４      走行体
５      ホッパ
６      搬送コンベア
７      底板
７ａ    開口
７ｂ    整流板
７ｃ    整流板
８      投入口
９      飛散防止カバー（蓋部）
１０      木材破砕装置
１１      チェーン
１２      スプロケット
１５      デフレクタ
１５ａ    外端部
１５ｂ    頂部
１５ｃ    傾斜面
１５ｄ    傾斜面
２０ａ    ガイド用外鍔部
２０ｂ    ガイド用外鍔部
２１      横ローラ
２２      縦ローラ
２３      支柱
２４      軸受
２５      支持軸
３０      駆動部
３１      スプロケット
３５      フレーム
４０      テンション付与機構
Ｍ      駆動モータ
【図１】
2007283160.tif 000003
【図２】
2007283160.tif 000004
【図３】
2007283160.tif 000005
【図４】
2007283160.tif 000006
【図５】
2007283160.tif 000007
【図６】
2007283160.tif 000008
【図７】
2007283160.tif 000009
【図８】
2007283160.tif 000010
【図９】
2007283160.tif 000011
【手続補正書】
【提出日】平成18年4月14日(2006.4.14)
【手続補正１】
【補正対象書類名】明細書
【補正対象項目名】００２６
【補正方法】変更
【補正の内容】
【００２６】
機台３は、走行体４に対して取り付けられており、その上面に破砕機１やタブ２、ホッパ５等が載置される。
走行体４は、進行方向左右両端部分に巻き掛けられた履帯を回転させることで、木材破砕装置１０を前進、後進させる。
ホッパ５は、水平面に対して傾斜する投入口８が形成されているとともに、投入口８の一部を覆う飛散防止カバー（蓋部）９が設けられている。なお、このホッパ５に形成された投入口８および飛散防止カバー９は、タブ２が回転してもタブ２と共に回転しないように機台３に対して支柱２ｂを介して取り付けられている。
【手続補正２】
【補正対象書類名】図面
【補正対象項目名】図１
【補正方法】変更
【補正の内容】
【図１】
2007283160.tif 000012
【手続補正３】
【補正対象書類名】図面
【補正対象項目名】図２
【補正方法】変更
【補正の内容】
【図２】
2007283160.tif 000013
【手続補正４】
【補正対象書類名】図面
【補正対象項目名】図３
【補正方法】変更
【補正の内容】
【図３】
2007283160.tif 000014